【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
ｎ個（ｎは１以上）のセンサから観測値を入力し、目標の航跡と相関のある観測値に基づいて前記航跡を更新することより、前記航跡を維持する航跡維持部と、
前記航跡維持部から入力される前記観測値に基づいて、仮航跡と前記仮航跡が目標の航跡である確からしさを示す尤度比とを算出し、前記仮航跡の尤度比が第１の判定条件又は第２の判定条件を満たす場合に該仮航跡を航跡として前記航跡維持部に登録する航跡生成部と、
自装置において目標の探索に用いるハードウェア資源のうち、現在利用していないハードウェア資源に対応する数の仮航跡を目標の航跡と判定するように前記第２の判定条件を決定する資源管理部と
を具備し、
前記第１の判定条件は、仮航跡の尤度比が上限閾値以上である
ことを特徴とする目標追跡装置。
【請求項２】
前記資源管理部は、
所定の閾値以上の尤度比を有する仮航跡であるか否かの条件を前記第２の判定条件に含める
ことを特徴とする請求項１に記載の目標追跡装置。
【請求項３】
ｎ個（ｎは１以上）のセンサから観測値を入力し、目標の航跡と相関のある観測値に基づいて前記航跡を更新することより、前記航跡を維持する航跡維持ステップと、
前記航跡維持ステップで入力される前記観測値に基づいて、仮航跡と前記仮航跡が目標の航跡である確からしさを示す尤度比とを算出し、前記仮航跡の尤度比が第１の判定条件又は第２の判定条件を満たす場合に該仮航跡を航跡として登録する航跡生成ステップと、
自装置において目標の探索に用いるハードウェア資源のうち、現在利用していないハードウェア資源に対応する数の仮航跡を目標の航跡と判定するように前記第２の判定条件を決定する資源管理ステップと
を有し、
前記第１の判定条件は、仮航跡の尤度比が上限閾値以上である
ことを特徴とする目標追跡方法。
【請求項４】
前記資源管理ステップでは、
所定の閾値以上の尤度比を有する仮航跡であるか否かの条件を前記第２の判定条件に含める
ことを特徴とする請求項３に記載の目標追跡方法。
【請求項５】
目標追跡装置が有するコンピュータに、
ｎ個（ｎは１以上）のセンサから観測値を入力し、目標の航跡と相関のある観測値に基づいて前記航跡を更新することより、前記航跡を維持する航跡維持ステップと、
前記航跡維持ステップで入力される前記観測値に基づいて、仮航跡と前記仮航跡が目標の航跡である確からしさを示す尤度比とを算出し、前記仮航跡の尤度比が第１の判定条件又は第２の判定条件を満たす場合に該仮航跡を航跡として登録する航跡生成ステップと、
自装置において目標の探索に用いるハードウェア資源のうち、現在利用していないハードウェア資源に対応する数の仮航跡を目標の航跡と判定するように前記第２の判定条件を決定する資源管理ステップと
を実行させ、
前記第１の判定条件を、仮航跡の尤度比が上限閾値以上とする、
プログラム。
【請求項６】
前記資源管理ステップでは、
所定の閾値以上の尤度比を有する仮航跡であるか否かの条件を前記第２の判定条件に含める
ことを特徴とする請求項５に記載のプログラム。
【手続補正２】
【補正対象書類名】明細書
【補正対象項目名】０００４
【補正方法】変更
【補正の内容】
【０００４】
航跡生成部１０２は、航跡維持部１０１から入力される観測値、すなわち目標の航跡と相関がない観測値を、目標の航跡になる可能性がある仮航跡（Tentative Track）として扱う。航跡生成部１０２は、観測値と仮航跡との相関をとり、相関がない場合に観測値を新規の仮航跡として扱い、相関がある場合に仮航跡を更新する。また、航跡生成部１０２は、各仮航跡の尤度比をＳＰＲＴ（Sequential Probability Ratio Test）法により算出する。航跡生成部１０２は、算出した尤度比と上限閾値ＴＵと下限閾値ＴＬとに基づいて仮航跡を航跡とするか、仮航跡を破棄するかを決定する。ここで、上限閾値ＴＵは、仮航跡を目標の航跡と判定する際に用いられる値である。また、下限閾値ＴＬは、仮航跡を誤警報の航跡と判定し、棄却する際に用いられる値である。
【手続補正３】
【補正対象書類名】明細書
【補正対象項目名】０００８
【補正方法】変更
【補正の内容】
【０００８】
仮航跡の尤度比が上限閾値ＴＵ以上である場合（ステップＳ１０５：ＹＥＳ）、航跡生成部１０２は、当該仮航跡を目標の航跡と判定し（ステップＳ１０６）、当該仮航跡を航跡として航跡維持部１０１に出力し（ステップＳ１０７）、次の仮航跡に対する処理を行う。
一方、仮航跡の尤度比が上限閾値ＴＵ以上でない場合（ステップＳ１０５：ＮＯ）、航跡生成部１０２は、当該仮航跡を仮航跡のままとして、次の仮航跡に対する処理を行う。
航跡生成部１０２は、観測値が入力されるごとに、上述のように仮航跡に対する処理を行う。
【手続補正４】
【補正対象書類名】明細書
【補正対象項目名】００１２
【補正方法】変更
【補正の内容】
【００１２】
本実施形態における目標追跡装置は、ｎ個（ｎは１以上）のセンサから観測値を入力し、目標の航跡と相関のある観測値に基づいて前記航跡を更新することより、前記航跡を維持する航跡維持部と、前記航跡維持部から入力される前記観測値に基づいて、仮航跡と前記仮航跡が目標の航跡である確からしさを示す尤度比とを算出し、前記仮航跡の尤度比が第１の判定条件又は第２の判定条件を満たす場合に該仮航跡を航跡として前記航跡維持部に登録する航跡生成部と、自装置において目標の探索に用いるハードウェア資源のうち、現在利用していないハードウェア資源に対応する数の仮航跡を目標の航跡と判定するように前記第２の判定条件を決定する資源管理部とを具備し、前記第１の判定条件は、仮航跡の尤度比が上限閾値以上であることを特徴とする。
【手続補正５】
【補正対象書類名】明細書
【補正対象項目名】００１３
【補正方法】変更
【補正の内容】
【００１３】
また、本実施形態における目標追跡方法は、ｎ個（ｎは１以上）のセンサから観測値を入力し、目標の航跡と相関のある観測値に基づいて前記航跡を更新することより、前記航跡を維持する航跡維持ステップと、前記航跡維持ステップで入力される前記観測値に基づいて、仮航跡と前記仮航跡が目標の航跡である確からしさを示す尤度比とを算出し、前記仮航跡の尤度比が第１の判定条件又は第２の判定条件を満たす場合に該仮航跡を航跡として登録する航跡生成ステップと、自装置において目標の探索に用いるハードウェア資源のうち、現在利用していないハードウェア資源に対応する数の仮航跡を目標の航跡と判定するように前記第２の判定条件を決定する資源管理ステップとを有し、前記第１の判定条件は、仮航跡の尤度比が上限閾値以上であることを特徴とする。
【手続補正６】
【補正対象書類名】明細書
【補正対象項目名】００１４
【補正方法】変更
【補正の内容】
【００１４】
また、本実施形態におけるプログラムは、目標追跡装置が有するコンピュータに、ｎ個（ｎは１以上）のセンサから観測値を入力し、目標の航跡と相関のある観測値に基づいて前記航跡を更新することより、前記航跡を維持する航跡維持ステップと、前記航跡維持ステップで入力される前記観測値に基づいて、仮航跡と前記仮航跡が目標の航跡である確からしさを示す尤度比とを算出し、前記仮航跡の尤度比が第１の判定条件又は第２の判定条件を満たす場合に該仮航跡を航跡として登録する航跡生成ステップと、自装置において目標の探索に用いるハードウェア資源のうち、現在利用していないハードウェア資源に対応する数の仮航跡を目標の航跡と判定するように前記第２の判定条件を決定する資源管理ステップとを実行させ、前記第１の判定条件を、仮航跡の尤度比が上限閾値以上とする。
【手続補正７】
【補正対象書類名】明細書
【補正対象項目名】００１８
【補正方法】変更
【補正の内容】
【００１８】
航跡維持部１には、センサ５が受信した受信信号に基づいて得られた観測値が入力される。観測値は、受信信号に対して所定の信号処理を施して得られる情報であって観測された目標の位置等（例えば、距離と仰角と方位角とを含む情報や、経度と緯度と高度とを含む情報など）と観測を行った時刻である観測時刻とを含む情報である。航跡維持部１は、センサ５から供給される観測値と、各目標の確立航跡（Confirmed Track、以下では単に航跡と称する）との相関をとり、相関がある観測値を用いて目標の航跡を更新することにより航跡を維持する。航跡維持部１は、目標の航跡と相関がない観測値を航跡生成部２に出力する。また、航跡維持部１は、各目標の航跡を操作・表示部４に出力する。また、航跡維持部１は、航跡生成部２において所定の条件を満たした仮航跡を航跡として取得し、記憶、維持する。
【手続補正８】
【補正対象書類名】明細書
【補正対象項目名】００３０
【補正方法】変更
【補正の内容】
【００３０】
フィルタリング処理部１２には、相関判定部１１から航跡番号と観測値との対応関係が通知される。フィルタリング処理部１２は、通知された観測値と航跡情報との対応関係に基づいて、観測時刻における各目標の状態ベクトル、及び共分散行列を含む平滑値を算出し、航跡記憶部１０に記憶されている航跡情報を更新する。また、フィルタリング処理部１２は、算出した状態ベクトル、及び共分散行列を含む平滑値を相関ゲート生成部１３及び操作・表示部４に出力する。
【手続補正９】
【補正対象書類名】明細書
【補正対象項目名】００３１
【補正方法】変更
【補正の内容】
【００３１】
相関ゲート生成部１３は、フィルタリング処理部１２から入力される各目標の状態ベクトル、及び共分散行列を含む平滑値に基づいて、観測値が次に入力されるタイミング（時刻）における目標の状態ベクトル、及び共分散行列を含む予測値を算出する。例えば、相関ゲート生成部１３は、センサ５のスキャンが行われる周期内において目標が移動すると予測される位置、そのときの予測される速度、予測される位置の誤差範囲を算出する。また、相関ゲート生成部１３は、目標が取り得る複数の運動モデルごとに、予測される状態ベクトル、及び誤差範囲を算出する。運動モデルは、目標が加速した場合や、減速した場合、移動方向を変更（旋回）した場合、上昇した場合、降下した場合、更にはそれらの組み合わせごとに予め定められる。相関ゲート生成部１３は、目標ごとに各運動モデルに対応した、算出した目標の状態ベクトル、及び共分散行列と時刻とを含む予測値で、航跡記憶部１０に記憶されている航跡情報の予測値を更新する。
【手続補正１０】
【補正対象書類名】明細書
【補正対象項目名】００３６
【補正方法】変更
【補正の内容】
【００３６】
フィルタリング処理部２３には、相関判定部２１から仮航跡番号と観測値との対応関係が通知される。フィルタリング処理部２３は、観測値と仮航跡情報との対応関係に基づいて、観測時刻における各目標の状態ベクトル、及び共分散行列を含む平滑値を算出し、仮航跡記憶部２０に記憶されている仮航跡情報を更新する。また、フィルタリング処理部２３は、観測値と対応がとれた仮航跡情報に含まれる仮航跡更新回数を「１」増加させる更新を行う。また、フィルタリング処理部２３は、算出した状態ベクトル、及び共分散行列を含む平滑値を相関ゲート生成部２４に出力する。
【手続補正１１】
【補正対象書類名】明細書
【補正対象項目名】００３７
【補正方法】変更
【補正の内容】
【００３７】
相関ゲート生成部２４は、フィルタリング処理部２３から入力される各目標の状態ベクトル、及び共分散行列を含む平滑値に基づいて、観測値が次に入力されるタイミング（時刻）における目標の状態ベクトル、及び共分散行列を算出する。例えば、相関ゲート生成部２４は、センサ５のスキャンが行われる周期内において目標が移動すると予測される位置、そのときの予測される速度、予測される位置の誤差範囲を算出する。相関ゲート生成部２４は、目標ごとに、算出した目標の状態ベクトル、及び共分散行列と時刻とを含む予測値で、仮航跡記憶部２０に記憶されている仮航跡情報の予測値を更新する。
【手続補正１２】
【補正対象書類名】明細書
【補正対象項目名】００４３
【補正方法】変更
【補正の内容】
【００４３】
【数３】
2014044132.tif 000001
【手続補正１３】
【補正対象書類名】明細書
【補正対象項目名】００４６
【補正方法】変更
【補正の内容】
【００４６】
ＳＰＲＴ法では、スキャンを行う都度、尤度比ＳＴを評価し、その結果により以下の３つのうちいずれかを選択する。
１．Ｈ０を採択、仮航跡が誤警報の航跡である。
２．Ｈ１を採択、仮航跡が目標の航跡である。
３．Ｈ０及びＨ１のいずれも採択せず、仮航跡の判定処理を継続する。
【手続補正１４】
【補正対象書類名】明細書
【補正対象項目名】００４７
【補正方法】変更
【補正の内容】
【００４７】
また、上述した係数ａ１及び係数ａ２のほかに、仮航跡が目標の航跡か、あるいは誤警報の航跡であるかの判定を行うための下限閾値ＴＬ及び上限閾値ＴＵが定められる。この下限閾値ＴＬ及び上限閾値ＴＵは、下記（４）式及び（５）式で表される。
【手続補正１５】
【補正対象書類名】明細書
【補正対象項目名】００５１
【補正方法】変更
【補正の内容】
【００５１】
尤度比判定部２７は、仮航跡記憶部２０に記憶されている仮航跡情報ごとに、仮航跡情報の尤度比ＳＴと下限閾値ＴＬ及び上限閾値ＴＵとの比較を行う。
尤度比判定部２７は、仮航跡情報に含まれる尤度比ＳＴが上限閾値ＴＵ以上である場合、対立仮説Ｈ１を採択してこの仮航跡情報に対応する仮航跡を目標の航跡であると判定し、航跡に確立することを決定する。このとき、尤度比判定部２７は、航跡に確立する仮航跡の仮航跡情報を仮航跡記憶部２０から読み出し、読み出した仮航跡情報を航跡情報として航跡記憶部１０に記憶させる。また、尤度比判定部２７は、航跡に確立した仮航跡の仮航跡情報を仮航跡記憶部２０から削除する。
【手続補正１６】
【補正対象書類名】明細書
【補正対象項目名】００５６
【補正方法】変更
【補正の内容】
【００５６】
図５は、本実施形態における目標追跡装置が仮航跡に対して行う処理の流れの具体例を示すフローチャートである。このフローチャートが示す処理は、例えば、スキャン信号が入力される都度、行われる。
同図のフローチャートに例示するように、航跡生成部２において相関判定部２１は航跡維持部１から観測値を入力する（ステップＳ１）。
相関ゲート生成部２４は、仮航跡記憶部２０に記憶されている仮航跡情報の予測値を観測値の観測時刻に基づいて更新する。相関判定部２１は、入力した観測値と仮航跡記憶部２０に記憶されている各仮航跡情報との相関をとる。相関判定部２１は、各仮航跡情報と観測値との相関に基づいて、観測値と仮航跡の対応関係を決定する（ステップＳ２）。
【手続補正１７】
【補正対象書類名】明細書
【補正対象項目名】００６０
【補正方法】変更
【補正の内容】
【００６０】
尤度比ＳＴが上限閾値ＴＵ以上である場合（ステップＳ６：ＹＥＳ）、尤度比判定部２７は、読み出した仮航跡情報に対応する仮航跡を目標の航跡と判定すること、すなわち航跡確立することを決定し（ステップＳ８）、当該仮航跡情報を航跡維持部１に新たな航跡情報として出力し（ステップＳ９）、処理をステップＳ４に戻して次の仮航跡に対する処理を行う。航跡維持部１に出力された航跡情報には、航跡維持部１において航跡番号が割り当てられる。仮航跡番号が航跡番号に置き換えられた新たな航跡情報は、航跡記憶部１０に記憶される。
【手続補正１８】
【補正対象書類名】明細書
【補正対象項目名】００６２
【補正方法】変更
【補正の内容】
【００６２】
尤度比ＳＴが上位Ｊ番目以内でない場合（ステップＳ７：ＮＯ）、尤度比判定部２７は、当該仮航跡を仮航跡のままとして、処理をステップＳ４に戻して次の仮航跡に対す処理を行う。
一方、尤度比ＳＴが上位Ｊ番目以内である場合（ステップＳ７：ＹＥＳ）、尤度比判定部２７は、読み出した仮航跡情報に対応する仮航跡を目標の航跡と判定すること、すなわち航跡確立することを決定し（ステップＳ８）、当該仮航跡情報を航跡維持部１に新たな航跡情報として出力し（ステップＳ９）、処理をステップＳ４に戻して次の仮航跡に対する処理を行う。尤度比ＳＴが上限閾値ＴＵ以上である場合と同様に、航跡維持部１に出力された航跡情報には、航跡維持部１において航跡番号が割り当てられる。仮航跡番号が航跡番号に置き換えられた新たな航跡情報は、航跡記憶部１０に記憶されることにより、航跡維持部１に登録される。
【手続補正１９】
【補正対象書類名】明細書
【補正対象項目名】００７８
【補正方法】変更
【補正の内容】
【００７８】
相関ゲート生成部２４は、仮航跡記憶部２０に記憶されている仮航跡情報の予測値を観測値の観測時刻に基づいて更新する。相関判定部２１は、入力した観測値と仮航跡記憶部２０に記憶されている各仮航跡情報との相関をとる。相関判定部２１は、各仮航跡情報と観測値との相関に基づいて、観測値と仮航跡の対応関係を決定する（ステップＳ３２）。
尤度比算出部２６は、仮航跡記憶部２０に記憶されている仮航跡情報を順に読み出し、読み出した仮航跡情報の尤度比ＳＴを算出する。尤度比算出部２６は、算出した尤度比ＳＴを仮航跡記憶部２０に書き込み記憶させる（ステップＳ３３）。
【手続補正２０】
【補正対象書類名】明細書
【補正対象項目名】００８１
【補正方法】変更
【補正の内容】
【００８１】
尤度比ＳＴが上限閾値ＴＵ以上である場合（ステップＳ３６：ＹＥＳ）、尤度比判定部２７は、読み出した仮航跡情報に対応する仮航跡を目標の航跡と判定すること、すなわち航跡確立することを決定し（ステップＳ３８）、当該仮航跡情報を航跡維持部１に新たな航跡情報として出力し（ステップＳ３９）、処理をステップＳ３４に戻して次の仮航跡に対する処理を行う。航跡維持部１に出力された航跡情報には、航跡維持部１において航跡番号が割り当てられる。仮航跡番号が航跡番号に置き換えられた新たな航跡情報は、航跡記憶部１０に記憶される。
【手続補正２１】
【補正対象書類名】明細書
【補正対象項目名】００８３
【補正方法】変更
【補正の内容】
【００８３】
尤度比ＳＴが上位Ｊ番目以内でない、又は尤度比ＳＴが資源管理用閾値ＴＭ以上でない場合（ステップＳ３７：ＮＯ）、尤度比判定部２７は、当該仮航跡を仮航跡のままとして、処理をステップＳ３４に戻して次の仮航跡に対す処理を行う。
一方、尤度比ＳＴが上位Ｊ番目以内であり、かつ尤度比ＳＴが資源管理用閾値ＴＭ以上である場合（ステップＳ３７：ＹＥＳ）、尤度比判定部２７は、読み出した仮航跡情報に対応する仮航跡を目標の航跡と判定すること、すなわち航跡確立することを決定し（ステップＳ３８）、当該仮航跡情報を航跡維持部１に新たな航跡情報として出力し（ステップＳ３９）、処理をステップＳ４に戻して次の仮航跡に対する処理を行う。尤度比ＳＴが上限閾値ＴＵ以上である場合と同様に、航跡維持部１に出力された航跡情報には、航跡維持部１において航跡番号が割り当てられる。仮航跡番号が航跡番号に置き換えられた新たな航跡情報は、航跡記憶部１０に記憶されることにより、航跡維持部１に登録される。
【手続補正２２】
【補正対象書類名】明細書
【補正対象項目名】００８８
【補正方法】変更
【補正の内容】
【００８８】
上記（７）式におけるβＭは、下記（８）式で表される。
【手続補正２３】
【補正対象書類名】図面
【補正対象項目名】図２
【補正方法】変更
【補正の内容】
【図２】
2014044132.tif 000002